(57)【要約】【課題】たとえ市販のメモリカードなどにより入手不可能な曲であっても、比較的簡単にカラオケを楽しむことのできるカラオケシステム。【解決手段】マイク１を有する携帯マイク装置２が、カラオケ曲演奏用の楽曲データを記憶する記憶手段５と、記憶手段５に記憶された楽曲データに基づいてカラオケ曲を演奏する演奏手段７を備え、携帯マイク装置２と別体に構成された出力装置３が、マイク１からの音声とカラオケ曲とを受信して出力するカラオケシステムで、携帯マイク装置２の記憶手段が、外部のサーバ４から通信手段１２を介してカラオケ曲演奏用の楽曲データを電気的に受け取って記憶するように構成されている。【選択図】　　　　図２
2004038069.tif 000002
【特許請求の範囲】
【請求項１】
マイクを有する携帯マイク装置が、カラオケ曲演奏用の楽曲データを記憶する記憶手段と、その記憶手段に記憶された楽曲データに基づいてカラオケ曲を演奏する演奏手段を備え、
その携帯マイク装置と別体に構成された出力装置が、前記マイクからの音声と前記カラオケ曲とを受信して出力するように構成されているカラオケシステムであって、
前記携帯マイク装置の記憶手段が、外部のサーバから通信手段を介してカラオケ曲演奏用の楽曲データを電気的に受け取って記憶するように構成されているカラオケシステム。
【請求項２】
前記外部のサーバが、携帯電話である請求項１に記載のカラオケシステム。
【請求項３】
前記出力装置が、テレビまたはラジオである請求項１または２に記載のカラオケシステム。
【請求項４】
前記携帯マイク装置が、その携帯マイク装置に対して装脱自在なメモリカード用の読取装置を備えている請求項１〜３のいずれか１項に記載のカラオケシステム。
【請求項５】
前記携帯マイク装置が、その携帯マイク装置に対して装脱自在なメモリカード用の書込装置を備えている請求項１〜４のいずれか１項に記載のカラオケシステム。
【発明の詳細な説明】
【０００１】
【発明の属する技術分野】
本発明は、マイクを有する携帯マイク装置が、カラオケ曲演奏用の楽曲データを記憶する記憶手段と、その記憶手段に記憶された楽曲データに基づいてカラオケ曲を演奏する演奏手段を備え、その携帯マイク装置と別体に構成された出力装置が、前記マイクからの音声と前記カラオケ曲とを受信して出力するように構成されているカラオケシステムに関する。
【０００２】
【従来の技術】
このようなカラオケシステムに使用する携帯マイク装置は、すでに市販されており、その携帯マイク装置にカラオケ曲演奏用の楽曲データを記憶したメモリカードを装着し、テレビなどの出力装置に接続することによって、比較的簡単にカラオケを楽しむことができ、その携帯マイク装置用として、種々のカラオケ曲演奏用の楽曲データを記憶した多数のメモリカードも市販されている。
【０００３】
【発明が解決しようとする課題】
しかし、上述した市販の携帯マイク装置では、演奏手段により演奏できるカラオケ曲が市販のメモリカードに記憶された曲に限られるため、例えば、最近リリースされた曲については、まだメモリカードが市販されていない可能性もあり、また、たとえ古い曲であっても、メモリカードが市販されていないこともあり、カラオケを楽しむ人にとって必ずしも満足できるものではなく、この点に改良の余地があった。
【０００４】
本発明は、このような従来の問題点に着目したもので、その目的は、たとえ市販のメモリカードなどにより入手不可能な曲であっても、比較的簡単にカラオケを楽しむことのできるカラオケシステムを提供することにある。
【０００５】
【課題を解決するための手段】
請求項１の発明の特徴構成は、図１〜図４に例示するごとく、マイク１を有する携帯マイク装置２が、カラオケ曲演奏用の楽曲データを記憶する記憶手段５と、その記憶手段５に記憶された楽曲データに基づいてカラオケ曲を演奏する演奏手段７を備え、その携帯マイク装置２と別体に構成された出力装置３が、前記マイク１からの音声と前記カラオケ曲とを受信して出力するように構成されているカラオケシステムであって、前記携帯マイク装置２の記憶手段５が、外部のサーバ４から通信手段１２を介してカラオケ曲演奏用の楽曲データを電気的に受け取って記憶するように構成されているところにある。
【０００６】
請求項１の発明の特徴構成によれば、携帯マイク装置の記憶手段が、外部のサーバから通信手段を介してカラオケ曲演奏用の楽曲データを電気的に受け取って記憶するように構成されているので、たとえ市販のメモリカードなどにより入手不可能な曲であっても、所望するカラオケ曲演奏用の楽曲データを比較的容易に外部のサーバから受け取って、携帯マイク装置の記憶手段に記憶されることができる。
このように携帯マイク装置の記憶手段に所望する曲の楽曲データを記憶させれば、携帯マイク装置の演奏手段が、その記憶された楽曲データに基づいてカラオケ曲を演奏して出力装置から出力させることができるので、携帯マイク装置のマイクを使ってカラオケを楽しむことができ、たとえ市場で入手不可能な曲であっても、比較的簡単にカラオケを楽しむことができる。
【０００７】
請求項２の発明の特徴構成は、図１〜図４に例示するごとく、前記外部のサーバ４が、携帯電話であるところにある。
【０００８】
請求項２の発明の特徴構成によれば、外部のサーバが、携帯電話であるから、例えば、パソコンなどに較べて普及率が高く、かつ、操作にも慣れている携帯電話を使用して、所望する曲の楽曲データを携帯マイク装置の記憶手段に記憶させることができ、このカラオケシステムの利用価値を高めることができる。
【０００９】
請求項３の発明の特徴構成は、図１〜図４に例示するごとく、前記出力装置３が、テレビまたはラジオであるところにある。
【００１０】
請求項３の発明の特徴構成によれば、マイクからの音声とカラオケ曲とを出力する出力装置が、テレビまたはラジオであるから、市場において入手不可能な曲でもカラオケを楽しむことができるのに加えて、一般の家庭において、テレビまたはラジオを使ってカラオケを気軽に楽しむことができ、バッテリ式の携帯ラジオを使えば、屋外においてもカラオケを気軽に楽しむことができる。
【００１１】
請求項４の発明の特徴構成は、図４に例示するごとく、前記携帯マイク装置２が、その携帯マイク装置２に対して装脱自在なメモリカード１４用の読取装置１５ｂを備えているところにある。
【００１２】
請求項４の発明の特徴構成によれば、携帯マイク装置が、その携帯マイク装置に対して装脱自在なメモリカード用の読取装置を備えているので、携帯マイク装置の記憶手段に記憶されている楽曲データの曲のみならず、多数の楽曲用データを記憶した市販のメモリカードを使用して、従来どおりのカラオケを楽しむこともできる。
【００１３】
請求項５の発明の特徴構成は、図４に例示するごとく、前記携帯マイク装置２が、その携帯マイク装置２に対して装脱自在なメモリカード１４用の書込装置１５ａを備えているところにある。
【００１４】
請求項５の発明の特徴構成によれば、携帯マイク装置が、その携帯マイク装置に対して装脱自在なメモリカード用の書込装置を備えているので、携帯マイク装置の記憶手段が楽曲データで満杯になったような場合、必要な楽曲データをメモリカードに書き込んで保存し、その保存した楽曲データにより再度カラオケを楽しむこともできる。
【００１５】
なお、上述のように、図面との対照を便利にするために符号を記したが、該記入により本発明は添付図面の構成に限定されるものではない。
【００１６】
【発明の実施の形態】
本発明によるカラオケシステムにつき、その第一と第二の実施形態を図面に基づいて説明する。
第一と第二のいずれの実施形態においても、カラオケシステム自体は、図１および図３に示すように、音声用のマイク１を有する携帯マイク装置２と、その携帯マイク装置２と別体に構成された出力装置の一例であるテレビ３と、外部のサーバとしての携帯電話４などにより構成されている。
【００１７】
第一の実施形態においては、携帯マイク装置２が、図２に示すように、カラオケ曲演奏用の楽曲データ（具体的には、ＭＩＤＩデータ）と、テレビ３の画面にカラオケ曲の歌詞などを映し出すための描写データとを記憶する記憶手段としてのＲＡＭ５を内蔵し、そのＲＡＭ５に対して必要なデータを書き込む書込装置５ａと、書き込んだデータを読み取る読取装置５ｂとを備えた中央制御部６も内蔵している。
携帯マイク装置２には、読取装置５ｂを介して中央制御部６が読み取った楽曲データに基づいてカラオケ曲を演奏する演奏手段７が内蔵され、その演奏手段７は、複数の楽器音を発振する音源モジュール部７ａと、その音源モジュール部７ａからの発振音を調整し、かつ、増幅して出力するプリアンプ部７ｂにより構成されている。
【００１８】
携帯マイク装置２には、さらに、中央制御部６が読み取った描写データを処理してテレビ３に出力する映像制御部８も内蔵されていて、上述した演奏手段７のプリアンプ部７ｂにマイク１が接続されている。
これら演奏手段７や映像制御部８を含めて、携帯マイク装置２の作動全体を中央制御部６が制御するように構成され、そのため、携帯マイク装置２には、中央制御部６に対して各種の制御を指令するための操作パネル９が設けられ、かつ、携帯電話４からの入力端子１０とテレビ３への出力端子１１も備えている。
【００１９】
この携帯マイク装置２のＲＡＭ５にカラオケ曲演奏用の楽曲データとテレビ画面用の描写データを記憶させるには、携帯電話４と携帯マイク装置２の入力端子１０とを通信手段としての入力用ケーブル１２で接続し、操作パネル９を操作して中央制御部６に対し必要なデータの記憶処理を指令する。
すると、中央制御部６が、入力用ケーブル１２を介して携帯電話４から必要な楽曲データと描写データを電気的に受け取り、各楽曲データと描写データにＩＤを対応付けてＲＡＭ５に格納して記憶させるのであり、必要な場合には、操作パネル９を操作して、記憶させた楽曲データに対応する曲名などの情報を入力して記憶処理を完了する。
【００２０】
カラオケ曲を演奏させるには、携帯マイク装置２の出力端子１１とテレビ３とを出力用ケーブル１３で接続し、操作パネル９を操作して希望するカラオケ曲をリクエストする。すると、中央制御部６が、リクエストの順に従って楽曲データのＩＤを対応付けて記憶し、リクエストの順に従ってＲＡＭ５から必要なデータを読み取り、読み取った楽曲データに基づいて演奏手段７に対しカラオケ曲の演奏を指令するとともに、読み取った描写データに基づいて映像制御部８に対し描写データを処理してテレビ３に出力するように指令する。
その結果、テレビ３が、マイク１からの音声と演奏手段７からのカラオケ曲とを受信して内蔵のスピーカーを通して出力し、そのカラオケ曲と同期して、テレビ３の画面には、カラオケ曲の歌詞や必要な映像などが映し出される。
【００２１】
つぎに、本発明によるカラオケシステムの第二の実施形態について説明するが、第一の実施形態と異なるのは、携帯マイク装置２の具体的な構成のみであり、かつ、第二の実施形態による携帯マイク装置２も、第一の実施形態とほぼ同じ構成であるため、第一の実施形態で説明したのと同じ構成については、同じ符号を付すことにより説明を省略し、主として第一の実施形態と異なる構成についてのみ説明する。
【００２２】
第二の実施形態においては、携帯マイク装置２が、図４に示すように、上述したＲＡＭ５、演奏手段７、映像制御部８などに加えて、メモリカード１４を装着するためのメモリカード挿入部１５を備え、中央制御部６が、ＲＡＭ５に対する書込装置５ａおよび読取装置５ｂに加えて、メモリカード挿入部１５に挿入されたメモリカード１４に対して必要なデータを書き込む書込装置１５ａと、メモリカード１４に書き込んだデータを読み取る読取装置１５ｂも備えている。
つまり、第二の実施形態による携帯マイク装置２は、第一の実施形態による携帯マイク装置２に対して、着脱自在なメモリカード１４用の書込装置１５ａと読取装置１５ｂとが付加された構成とされている。
【００２３】
この第二の実施形態においても、携帯マイク装置２のＲＡＭ５にカラオケ曲演奏用の楽曲データとテレビ画面用の描写データを記憶させるには、第一の実施形態と同様に、携帯電話４と携帯マイク装置２の入力端子１０とを入力用ケーブル１２で接続し、操作パネル９の操作により中央制御部６に対し必要なデータの記憶処理を指令するとともに、必要な場合には、記憶させた楽曲データに対応する曲名などの情報を入力する。
そして、携帯マイク装置２の出力端子１１とテレビ３とを出力用ケーブル１３で接続し、操作パネル９の操作によりカラオケ曲をリクエストすることで、テレビ３のスピーカーを通してマイク１からの音声と演奏手段７からのカラオケ曲とを出力し、テレビ３の画面にカラオケ曲の歌詞や必要な映像などを映し出すことができる。
【００２４】
この第二の実施形態においては、携帯マイク装置２が、メモリカード挿入部１５に挿入されたメモリカード１４に対する読取装置１５ｂを備えているので、市販のカラオケ用メモリカード１４を使用することにより、従来通りのカラオケを楽しむことができる。
それに加えて、メモリカード１４に対する書込装置１５ａを備えているので、ＲＡＭ５に記憶させたカラオケ曲演奏用の楽曲データとテレビ画面用の描写データをメモリカード１４に記憶させて保存することが可能となり、必要な場合には、そのメモリカード１４に記憶させた楽曲データに基づいて、いつでもカラオケを楽しむことができる。
【００２５】
〔別実施形態〕
先の実施形態では、出力装置３の一例としてテレビを示したが、歌詞などの映像を望まなければ、ラジオ、ステレオ、楽器用のアンプなどを出力装置３として使用することもできる。また、外部サーバ４の一例として携帯電話を示したが、携帯電話に代えてパソコンを外部サーバ４として使用することもできる。
このような出力装置３や外部サーバ４を携帯マイク装置２に接続するに際し、先の実施形態では、入力用ケーブル１２や出力用ケーブル１３を使用した例を示したが、出力装置３と携帯マイク装置２との接続、あるいは、外部サーバ４と携帯マイク装置２との接続のいずれか一方、あるいは、両方を無線により接続して実施することもできる。
【図面の簡単な説明】
【図１】カラオケシステムの第一の実施形態を示す説明図
【図２】カラオケシステムの第一の実施形態を示すブロック図
【図３】カラオケシステムの第二の実施形態を示す説明図
【図４】カラオケシステムの第二の実施形態を示すブロック図
【符号の説明】
１　　　　マイク
２　　　　携帯マイク装置
３　　　　出力装置
４　　　　外部のサーバ
５　　　　記憶手段
７　　　　演奏手段
１２　　　通信手段
１４　　　メモリカード
１５ａ　　メモリカード用の書込装置
１５ｂ　　メモリカード用の読取装置
【図１】
2004038069.tif 000003
【図２】
2004038069.tif 000004
【図３】
2004038069.tif 000005
【図４】
2004038069.tif 000006